(57)【要約】【課題】  他のキャビネットとの間で統一感を実質的に欠くことなく、キッチンのベースキャビネットに組み込むことのできる引出し型の乾燥キャビネット。【解決手段】  軽く水切りされた物を収納して乾燥させる引出し型の乾燥キャビネット（１）。引出し前板（２）の上側には、ほぼ一定の断面形状で横方向に細長く延びるライン型の把手（３）が設けられ、乾燥機構のためのスイッチユニット（４）および排気ユニット（５）が、ライン型の把手の凹部（３ａ）に組み込まれている。【選択図】  図４
2006341004.tif 000002
【特許請求の範囲】
【請求項１】
軽く水切りされた物を収納して乾燥させる引出し型の乾燥キャビネットであって、
引出し前板の上側には、ほぼ一定の断面形状で横方向に細長く延びるライン型の把手が設けられ、
乾燥機構のためのスイッチユニットおよび前記乾燥機構のための排気ユニットが、前記ライン型の把手の凹部に組み込まれていることを特徴とする引出し型の乾燥キャビネット。
【請求項２】
前記スイッチユニットは前記ライン型の把手の前記凹部の一方の側に設けられ、前記排気ユニットは前記ライン型の把手の前記凹部の他方の側に設けられていることを特徴とする請求項１に記載の引出し型の乾燥キャビネット。
【請求項３】
前記スイッチユニットと前記排気ユニットとは１つの一体化ユニットとして構成され、該一体化ユニットは前記ライン型の把手のほぼ全体に亘って延びるように設けられていることを特徴とする請求項１に記載の引出し型の乾燥キャビネット。
【請求項４】
前記ライン型の把手は、隣接するライン型の把手とほぼ同じ高さ位置に整列して設けられていることを特徴とする請求項１乃至３のいずれか１項に記載の引出し型の乾燥キャビネット。
【発明の詳細な説明】
【技術分野】
【０００１】
本発明は、引出し型の乾燥キャビネットに関し、例えばキッチンにおいて軽く水切りされた調理道具を収納して乾燥させる引出し型の乾燥キャビネット（乾燥収納庫）に関するものである。
【背景技術】
【０００２】
壁面に隣接して配置される壁付け型のキッチンでは、洗った調理道具を載置して水切りするための水切り棚を壁面に取り付けて設置することが可能である。しかしながら、対面型のキッチンやフラット対面型のキッチンやアイランド型のキッチンでは、隣接する壁面がないため、水切り棚を取り付けて設置することが不可能である。
【発明の開示】
【発明が解決しようとする課題】
【０００３】
その結果、従来の対面型のキッチンやフラット対面型のキッチンやアイランド型のキッチンでは、たとえばカウンター上の水切りカゴや水切りプレートを利用して、洗った調理道具を水切りする場合が多く、リビングルームからのキッチンの見栄えが悪くなり本来の美観が損なわれ易い。
【０００４】
そこで、軽く水切りされた調理道具を収納して乾燥させる引出し型の乾燥キャビネットをキッチンのベースキャビネットに組み込むことが考えられる。しかしながら、この場合、乾燥機構のためのスイッチユニットや排気ユニットなどが乾燥キャビネットの前面に取り付けられるため、乾燥キャビネットと他のキャビネットとの間で統一感を欠くことになる。
【０００５】
本発明は、前述の課題に鑑みてなされたものであり、他のキャビネットとの間で統一感を実質的に欠くことなく、キッチンのベースキャビネットに組み込むことのできる引出し型の乾燥キャビネットを提供することを目的とする。
【課題を解決するための手段】
【０００６】
前記課題を解決するために、本発明では、軽く水切りされた物を収納して乾燥させる引出し型の乾燥キャビネットであって、
引出し前板の上側には、ほぼ一定の断面形状で横方向に細長く延びるライン型の把手が設けられ、
乾燥機構のためのスイッチユニットおよび前記乾燥機構のための排気ユニットが、前記ライン型の把手の凹部に組み込まれていることを特徴とする引出し型の乾燥キャビネットを提供する。
【０００７】
本発明の好ましい態様によれば、前記スイッチユニットは前記ライン型の把手の前記凹部の一方の側に設けられ、前記排気ユニットは前記ライン型の把手の前記凹部の他方の側に設けられている。あるいは、前記スイッチユニットと前記排気ユニットとは１つの一体化ユニットとして構成され、該一体化ユニットは前記ライン型の把手のほぼ全体に亘って延びるように設けられていることが好ましい。また、前記ライン型の把手は、隣接するライン型の把手とほぼ同じ高さ位置に整列して設けられていることが好ましい。
【発明の効果】
【０００８】
本発明では、ほぼ一定の断面形状で横方向に細長く延びるライン型の把手が乾燥キャビネットの引出し前板の上側に設けられ、このライン型の把手の凹部に乾燥機構のためのスイッチユニットおよび排気ユニットが組み込まれている。したがって、スイッチユニットおよび排気ユニットの取付けによりライン型の把手の特徴的な外観が実質的に変化することがなく、例えばキッチンのベースキャビネットに乾燥キャビネットを組み込んでも、乾燥キャビネットと他のキャビネットとの間で実質的に統一感を欠くことがない。
【０００９】
なお、本発明では、ライン型の把手の凹部の一方の側にスイッチユニットを設け、ライン型の把手の凹部の他方の側に排気ユニットを設けることが好ましい。この構成により、ライン型の把手の中央部分を確実に把持して、乾燥キャビネットの引出し動作および押戻し動作を容易に行うことができる。
【００１０】
あるいは、本発明では、スイッチユニットと排気ユニットとを一体化して得られる一体化ユニットをライン型の把手のほぼ全体に亘って延びるように設けても良い。この場合、一体化ユニットの取付けによりライン型の把手の特徴的な外観がほとんど変化しないので、他のキャビネットとの間の統一感を良好に保つことができる。
【００１１】
また、本発明では、乾燥キャビネットのライン型の把手を隣接するライン型の把手とほぼ同じ高さ位置に整列させることが好ましい。この構成では、隣接する２つのライン型の把手がほぼ水平に並ぶことになり、キャビネット間の統一感をさらに良好に保つことができる。
【発明を実施するための最良の形態】
【００１２】
本発明の実施形態を、添付図面に基づいて説明する。図１は、本発明の実施形態にかかる引出し型の乾燥キャビネットを備えたキッチンの構成を概略的に示す斜視図である。図２は、図１のキッチン本体の構成を概略的に示す斜視図である。図３は、図２のキッチン本体において本実施形態の乾燥キャビネットを引き出した状態を概略的に示す斜視図である。
【００１３】
図１〜図３を参照すると、本実施形態のキッチン本体は、床Ｆの上に載置されたベースキャビネットＢＣを備えている。ベースキャビネットＢＣの上部には、キッチンに向かって左側から加熱調理部（ガスコンロ、ＩＨコンロなど）１１と、一対のカウンタ１２ａおよび１２ｂとが設けられ、この一対のカウンタ１２ａと１２ｂとの間にはシンク１３が設けられている。また、シンク１３に隣接して、たとえば湯水混合型の水栓１４が設けられている。
【００１４】
ベースキャビネットＢＣは、４つのキャビネット１５〜１８を備えている。すなわち、加熱調理部１１の下方にはキャビネット１５が、加熱調理部１１とシンク１３との間のカウンタ１２ａの下方にはキャビネット１６が、シンク１３の下方にはシンクキャビネット１７が、シンク１３よりも端部側のカウンタ１２ｂの下方にはキャビネット１８がそれぞれ設けられている。
【００１５】
また、加熱調理部１１の上方にはレンジフード１９が壁面Ｗに取り付けられ、このレンジフード１９とほぼ高さに整列するようにウォールキャビネットＷＣが壁面Ｗに取り付けられている。本実施形態にかかる引出し型の乾燥キャビネット１は、図２および図３に示すように、カウンタ１２ｂの下方に設けられたキャビネット１８の上段の引出し収納部として構成されている。
【００１６】
図４は、本実施形態にかかる引出し型の乾燥キャビネットの構成を概略的に示す斜視図である。図５は、図４に示す本実施形態の乾燥キャビネットのライン型の把手にスイッチユニットおよび排気ユニットを取り付ける様子を示す図である。図６（ａ）は図４の線Ａに沿った断面図であり、図６（ｂ）は図４の線Ｂに沿った断面図である。
【００１７】
図４〜図６を参照すると、本実施形態にかかる引出し型の乾燥キャビネット１は、引出し収納部の形態を有し、その引出し前板２の上側にはほぼ一定の断面形状で横方向に細長く延びるライン型の把手３が設けられている。そして、図示を省略した乾燥機構のためのスイッチユニット（入りスイッチ、切りスイッチ、タイムスイッチなど）４および排気ユニット５が、ライン型の把手３の凹部３ａに組み込まれている。
【００１８】
具体的には、スイッチユニット４は、ライン型の把手３の凹部３ａの向かって右側に、スイッチユニット４の右端と把手３の右端とがほぼ整列するように設けられている。また、排気ユニット５は、ライン型の把手３の凹部３ａの向かって左側に、排気ユニット５の左端と把手３の左端とがほぼ整列するように設けられている。ただし、この配置は例示的であって、スイッチユニット４を左側に設け、排気ユニット５を右側に設けることもできる。
【００１９】
なお、スイッチユニット４の取付けに際しては、図５に示すように、ライン型の把手３の凹部３ａの右端からスイッチユニット４を所要の姿勢で押し込み、所定位置に設けられたストッパ６ａに当接するまでスイッチユニット４を挿入する。その結果、図６（ｂ）に示すように、スイッチユニット４は、ライン型の把手３の凹部３ａに組み込まれ、いわゆる嵌合方式により安定的に保持される。スイッチユニット４に接続されたコード４ａは、ライン型の把手３の背板部分４ｂに形成された開口部４ｂａを介して乾燥キャビネット１の内側へ引き込まれる。
【００２０】
一方、排気ユニット５の取付けに際しては、図５に示すように、ライン型の把手３の凹部３ａの左端から排気ユニット５を所要の姿勢で押し込み、所定位置に設けられたストッパ６ｂに当接するまで排気ユニット５を挿入する。その結果、図６（ａ）に示すように、排気ユニット５はライン型の把手３の凹部３ａに組み込まれ、この状態で例えばビス７のようなねじ締結手段によりライン型の把手３の背板部分３ｂに固定的に取り付けられる。
【００２１】
本実施形態では、図７に示すように、たとえばフライパン２１のような調理道具や食器などをカウンタ１２ｂ上で洗った後、軽く水切りしてから乾燥キャビネット１の内部に収納して乾燥させる。なお、乾燥キャビネット１の内部には、図８に示すように、フライパン２１に加えて、なべ、ボール、ザル、まな板、包丁、ふきん等の調理道具や、必要に応じて上記した物以外の適当な物も乾燥のために収納される。
【００２２】
以上のように、本実施形態では、ほぼ一定の断面形状で横方向に細長く延びるライン型の把手３が乾燥キャビネット１の引出し前板２の上側に設けられ、このライン型の把手３の凹部３ａに乾燥機構のためのスイッチユニット４および排気ユニット５が組み込まれている。したがって、図９（ａ）に示すように、スイッチユニット４および排気ユニット５の取付けにより、ライン型の把手３の特徴的な外観が実質的に変化することがない。
【００２３】
一方、図９（ｂ）に示すような従来構成では、スイッチユニットや排気ユニットが乾燥キャビネット１０１の前面１０２に取り付けられるため、乾燥キャビネット１０１と他のキャビネットとの間で統一感を欠くことになる。このように、従来構成と比較して明らかなように、本実施形態の引出し型の乾燥キャビネット１は、他のキャビネットとの間で統一感を実質的に欠くことなく、キッチンのベースキャビネットＢＣに組み込まれる。
【００２４】
また、本実施形態では、ライン型の把手３の凹部３ａの一方の側（図では向かって右側）にスイッチユニット４が設けられ、ライン型の把手３の凹部３ａの他方の側（図では向かって左側）に排気ユニット５が設けられているので、ライン型の把手３の中央部分を確実に把持して、乾燥キャビネット１の引出し動作および押戻し動作を容易に行うことができる。
【００２５】
また、本実施形態では、図９（ａ）に示すように、乾燥キャビネット１のライン型の把手３が隣接するライン型の把手（乾燥キャビネット１に隣接するシンクキャビネット１７の上段引出し収納部の引出し前板の上側に設けられたライン型の把手）１０と同じ高さ位置に整列しているので、隣接する２つのライン型の把手３と１０とが水平に並ぶことになり、キャビネット間の統一感が良好に保たれる。
【００２６】
このように、本実施形態では、例えば洗った調理道具の水を軽く切ってから引出し型の乾燥キャビネット１に収納して乾燥させることができるので、カウンタ（１２ａ，１２ｂ）上がすっきりと片付いた状態に整頓され、リビングルームからのキッチンの見栄えが悪くなることなく、ひいてはキッチンの本来の美観も損なわれることがない。一般に、乾燥キャビネット１は乾燥機能に加えて送風機能も有するので、乾燥キャビネット１の内部の湿気を気にすることなく、水気のある調理道具などをそのまま収納することができる。
【００２７】
また、乾燥キャビネット１に除菌機能や脱臭機能を付加することにより、菌の繁殖や臭いの発生を防いで衛生的な環境を維持することができる。また、乾燥キャビネット１の扉（引出し前板）２をライン型の把手３付きのタッチオープン式に構成することにより、例えばシンク１３で洗い物をしている時でも濡れた手で把手３を把持することなく扉２の開閉動作を行うことが可能になる。さらに、安全面を考慮し、乾燥キャビネット１の運転中に扉２を開けた場合の停止機能を付加することが好ましい。この場合、乾燥キャビネット１の扉２を閉じれば自動的に運転が再開されるように構成することが好ましい。
【００２８】
なお、上述の実施形態では、所定位置に設けられたストッパ６ａおよび６ｂにそれぞれ当接するまでライン型の把手３の凹部３ａに挿入することにより、スイッチユニット４および排気ユニット５の位置決めを行っている。しかしながら、図１０の第１変形例に示すように、ストッパを利用しなくても、上述の実施形態とほぼ同様の手順にしたがってスイッチユニット４および排気ユニット５の取付けを行うことができる。この場合、図１１に示すように、例えばビス７を用いて、スイッチユニット４および排気ユニット５をライン型の把手３の背板部分３ｂに固定的に取り付ければ良い。
【００２９】
また、上述の実施形態では、ライン型の把手３の凹部３ａの一方の側にスイッチユニット４を設け、ライン型の把手３の凹部３ａの他方の側に排気ユニット５を設けている。しかしながら、これに限定されることなく、図１２の第２変形例に示すように、スイッチユニットと排気ユニットとを一体化させて構成し、この一体化ユニット８をライン型の把手３の凹部３ａのほぼ全体に亘って延びるように設けても良い。この場合、一体化ユニット８の取付けによりライン型の把手３の特徴的な外観がほとんど変化しないので、他のキャビネットとの間の統一感がさらに良好に保たれる。
【００３０】
なお、上述の実施形態では、キッチンのベースキャビネットに組み込まれて主に調理道具などを収納して乾燥させる乾燥キャビネットに対して本発明を適用しているが、これに限定されることなく、一般に軽く水切りされた物を収納して乾燥させる引出し型の乾燥キャビネットに対しても同様に本発明を適用することができる。
【図面の簡単な説明】
【００３１】
【図１】本発明の実施形態にかかる引出し型の乾燥キャビネットを備えたキッチンの構成を概略的に示す斜視図である。
【図２】図１のキッチン本体の構成を概略的に示す斜視図である。
【図３】図２のキッチン本体において本実施形態の乾燥キャビネットを引き出した状態を概略的に示す斜視図である。
【図４】本実施形態にかかる引出し型の乾燥キャビネットの構成を概略的に示す斜視図である。
【図５】図４に示す本実施形態の乾燥キャビネットのライン型の把手にスイッチユニットおよび排気ユニットを取り付ける様子を示す図である。
【図６】（ａ）は図４の線Ａに沿った断面図であり、（ｂ）は図４の線Ｂに沿った断面図である。
【図７】本実施形態の乾燥キャビネットの中に軽く水切りされた調理道具を収納する様子を示す図である。
【図８】本実施形態の乾燥キャビネットの中に収納された様々な調理道具を示す図である。
【図９】本実施形態の乾燥キャビネットの作用効果を従来例に比して説明する図である。
【図１０】第１変形例にしたがって乾燥キャビネットのライン型の把手にスイッチユニットおよび排気ユニットを取り付ける様子を示す図である。
【図１１】第１変形例においてスイッチユニットや排気ユニットをライン型の把手に固定する様子を示す図である。
【図１２】第２変形例にしたがって乾燥キャビネットのライン型の把手にスイッチユニットおよび排気ユニットを取り付ける様子を示す図である。
【符号の説明】
【００３２】
１  乾燥キャビネット
２  引出し前板
３  ライン型の把手
３ａ  ライン型の把手の凹部
４  スイッチユニット
５  排気ユニット
６  ストッパ
７  ビス
８  一体化ユニット
ＢＣ  ベースキャビネット
ＷＣ  ウォールキャビネット
１１  加熱調理部
１２  カウンタ
１３  シンク
１４  水栓
１５〜１８  キャビネット
１９  レンジフード
【図１】
2006341004.tif 000003
【図２】
2006341004.tif 000004
【図３】
2006341004.tif 000005
【図４】
2006341004.tif 000006
【図５】
2006341004.tif 000007
【図６】
2006341004.tif 000008
【図７】
2006341004.tif 000009
【図８】
2006341004.tif 000010
【図９】
2006341004.tif 000011
【図１０】
2006341004.tif 000012
【図１１】
2006341004.tif 000013
【図１２】
2006341004.tif 000014